(57)【要約】      （修正有）【課題】装置停止時などに簡単な構成で液体の正圧状態を解除できる画像形成装置を提供する。【解決手段】インクカートリッジ７６とヘッドタンク１０１との間には、加圧ポンプ２０１とバッファ室２０２とが設けられ、ヘッドタンク１０１内には開閉弁１１１が設けられ、バッファ室２０２は、一部の側壁面が一定の方向に伸縮可能な伸縮部材２２１で形成され、伸縮部材２２１で壁部２２２が支持され、バッファ室２０２の伸縮部材２２１の伸長を規制するソレノイド２０３が配置され、ソレノイドのプランジャ２３１の先端部は、バッファ室２０２の壁部２２２に対向し、プランジャ２３１は伸縮部材２２１の伸縮方向と同じ方向に進退可能に設けられている。【選択図】図５
2014156035.tif 000002
【特許請求の範囲】
【請求項１】
液滴を吐出する記録ヘッドと、
前記記録ヘッドに供給する液体を貯留する液体タンクと、
前記液体タンクから前記記録ヘッドに前記液体を送液する送液手段と、
前記記録ヘッドと前記送液手段の間に設けられ、前記液体を一時的に貯留する貯留室と、を備え、
前記貯留室は、一部の壁面は前記液体の圧力によって伸縮可能な伸縮部材で形成され、
前記伸縮部材の伸縮方向に移動可能で、前記伸縮部材の伸長を規制可能な規制手段を有しており、
前記規制手段は、
前記記録ヘッドから液滴を吐出して印字を行うときには、前記伸縮部材の伸張を一定量以下になるように規制し、
前記記録ヘッドによる印字が停止したときには、前記伸縮部材に対する規制を解除する
ことを特徴とする画像形成装置。
【請求項２】
前記記録ヘッドと前記貯留室との間に、常閉の弁手段を有し、
前記弁手段は、前記記録ヘッドが液滴を吐出したときにのみ開弁する
ことを特徴とする請求項１に記載の画像形成装置。
【請求項３】
前記送液手段による送液方向は、前記液体タンクから前記記録ヘッドに向かう方向のみであることを特徴とする請求項１又は２に記載の画像形成装置。
【請求項４】
前記規制手段は、加圧又は減圧された空気によって一方向に進退可能である
ことを特徴とする請求項１ないし３のいずれかに記載の画像形成装置。
【発明の詳細な説明】
【技術分野】
【０００１】
本発明は画像形成装置に関し、特に液滴を吐出する記録ヘッドを備える画像形成装置に関する。
【背景技術】
【０００２】
プリンタ、ファクシミリ、複写装置、プロッタ、これらの複合機等の画像形成装置として、例えばインク液滴を吐出する記録ヘッドを用いた液体吐出記録方式の画像形成装置としてインクジェット記録装置などが知られている。
【０００３】
記録ヘッドとして用いる液体吐出ヘッド（液滴吐出ヘッド）としては、圧電アクチュエータ等により振動板を変位させ液室内の体積を変化させて圧力を高め液滴を吐出させる圧電型ヘッドや、液室内に通電によって発熱する発熱体を設けて、発熱体の発熱により生じる気泡によって液室内の圧力を高め、液滴を吐出させるサーマル型ヘッドが知られている。
【０００４】
このような液体吐出方式の画像形成装置においては、特に画像形成スループットの向上、すなわち画像形成速度の高速化が望まれており、本体据え置きの大容量のインクカートリッジ（メインタンク）からチューブを介して記録ヘッド上部のヘッドタンク（サブタンク、バッファタンクと称されるものを含む。）にインクを供給する方式（これを「オフキャリッジ方式」という。）が行なわれている。
【０００５】
このようなチューブを用いてインクを供給する方式とすることで、記録ヘッドやヘッドタンクを搭載するキャリッジ部を軽量小型化でき、構造系、駆動系も含めて装置を大幅に小型化することができる。
【０００６】
しかしながら、印刷スループットの更なる向上のため、ヘッドのノズル数増加、ヘッド駆動の高周波数化に伴うインク送液流量の増加や、短時間乾燥のためのインク高粘度化が進むと、チューブ流体抵抗の圧力損失によってインク供給が不足する問題が生じる。特に大判の印刷媒体に記録を行う装置では、チューブ長が長くなるためより圧力損失が大きくなる。
【０００７】
そこで、ポンプによってメインタンクから記録ヘッドへインクを供給する方式が採用されるが、記録ヘッドの圧力を検知するセンサ、ポンプを駆動させる制御機器が必要となり、高コスト化を招くことになる。
【０００８】
また、インクカートリッジを記録ヘッドよりも重力方向に下げた位置に配置して、記録ヘッドの液滴吐出面に負圧を形成し、記録ヘッドのインク吐出に伴ってヘッドタンクに自然にインクを供給する方法もある。しかし、この場合、重力方向の高さが記録ヘッドの負圧形成に直結するため、レイアウトの制約を受け、装置の高さが高くなるという不都合が生じる。
【０００９】
そこで、従来、ヘッドタンクに対してインクを正圧状態で供給し、ヘッドタンク内の負圧が所定の圧力より大きいときに差圧弁（負圧連動弁）が開いてインクが供給されるようにしたものが知られている（特許文献１）。
【００１０】
また、インクカートリッジ外装とインク袋の間をエアーポンプで加圧し、エアーポンプとインクカートリッジ間に開閉弁を設け、圧力が高まるとエアーを大気に開放させて正圧のインクの圧力を制御・解除するものが知られている（特許文献２）。
【先行技術文献】
【特許文献】
【００１１】
【特許文献１】特許第３６０６２８２号公報
【特許文献２】特開２００７−２６１０３３号公報
【発明の概要】
【発明が解決しようとする課題】
【００１２】
上述した特許文献１に開示されているように、ヘッドタンク内の負圧に応じて自動的に弁が開閉される構成にあっては、インクを常時正圧で供給した状態に保持されるため、弁体のシール性が悪かったり、経時的な劣化が生じたりすると、インクがヘッドタンクに流入し続けることになる。その結果、記録ヘッドや供給経路のジョイント部からインクが漏れるおそれがある。
【００１３】
そこで、特許文献２に開示の技術を適用することで、正圧を解除できるようにすれば、インクが記録ヘッドやジョイント部から漏れることを防ぐことはできる。
【００１４】
しかしながら、インクが詰められたインク袋にエアーによる加圧力が作用するように、例えば変形可能な素材でインク袋を成形しなければならず、設計上の自由度が低くなる。また、インクカートリッジ外装とインク袋をエアーで加圧するため、インクカートリッジ外装を加圧に耐える完全な密閉空間を形成できる部材にしなければならず、高い強度が要求されるという課題がある。
【００１５】
本発明は上記の課題に鑑みてなされたものであり、簡単な構成で、液体の正圧状態を解除でき、ヘッドやジョイント部からの液体のリークを確実の防止できるようにすることを目的とする。
【課題を解決するための手段】
【００１６】
上記の課題を解決するため、本発明に係る画像形成装置は、
液滴を吐出する記録ヘッドと、
前記記録ヘッドに供給する液体を貯留する液体タンクと、
前記液体タンクから前記記録ヘッドに前記液体を送液する送液手段と、
前記記録ヘッドと前記送液手段の間に設けられ、前記液体を一時的に貯留する貯留室と、を備え、
前記貯留室は、一部の壁面は前記液体の圧力によって伸縮可能な伸縮部材で形成され、
前記伸縮部材の伸縮方向に移動可能で、前記伸縮部材の伸長を規制可能な規制手段を有しており、
前記規制手段は、
前記記録ヘッドから液滴を吐出して印字を行うときには、前記伸縮部材の伸張を一定量以下になるように規制し、
前記記録ヘッドによる印字が停止したときには、前記伸縮部材に対する規制を解除する
構成とした。
【発明の効果】
【００１７】
本発明によれば、簡単な構成で、液体の正圧状態を解除でき、ヘッドやジョイント部からの液体のリークを確実の防止できる。
【図面の簡単な説明】
【００１８】
【図１】本発明の一実施形態に係る画像形成装置としてのインクジェット記録装置を示す概略平面説明図である。
【図２】同じく概略正面説明図である。
【図３】同じく概略側面説明図である。
【図４】同装置の記録ヘッドの説明に供する要部拡大説明図である。
【図５】本発明の第１実施形態におけるインク供給システムの概略説明図である。
【図６】同実施形態の説明に供する説明図である。
【図７】装置停止時における加圧ポンプによって加圧されたインクの圧力を解除する方法の説明に供する説明図である。
【図８】同じく説明図である。
【図９】本発明の第２実施形態におけるインク供給システムの説明図である。
【図１０】本発明の第３実施形態におけるインク供給システムの説明図である。
【図１１】同システムの廃液タンク部分の説明に供する説明図である。
【図１２】本発明の第４実施形態におけるバッファ室周りの説明図である。
【図１３】バッファ室に対する規制手段の制御の一例を説明するフロー図である。
【発明を実施するための形態】
【００１９】
以下、本発明の実施形態について添付図面を参照して説明する。本発明の一実施形態に係る画像形成装置としてのインクジェット記録装置について図１ないし図３を参照して説明する。なお、図１は同記録装置の概略平面説明図、図２は同じく概略正面説明図、図３は同じく概略側面説明図である。
【００２０】
このインクジェット記録装置は、本体フレーム３０に立設された左右の側板１２３Ｌ、１２３Ｒに架け渡されたガイド部材であるガイドロッド１２２と、本体フレーム３０に配置された後フレーム１２８に取付けられたガイドレール１２４とで、キャリッジ１２０を主走査方向（ガイドロッド長手方向）に移動可能に保持している。そして、キャリッジ１２０を図示しない主走査モータとタイミングベルトによってガイドロッド１２２の長手方向（主走査方向）に移動走査する。
【００２１】
このキャリッジ１２０には、例えば、ブラック（Ｋ）、シアン（Ｃ）、マゼンタ（Ｍ）、イエロー（Ｙ）のインク滴を吐出する１又は複数の液体吐出ヘッドからなる記録ヘッド１が搭載されている。記録ヘッド１は、複数のインク吐出口（ノズル）を主走査方向と交叉する方向に配列し、インク滴吐出方向を下方に向けて装着している。
【００２２】
ここで、記録ヘッド１は、図４に示すように、発熱体基板２と液室形成部材３から構成され、発熱体基板２に形成されたインク供給路を介して共通流路７及び液室（個別流路）６に順次供給されるインクを液滴として吐出する。この記録ヘッド１は、発熱体４の駆動によるインクの膜沸騰により吐出圧を得るサーマル方式のものであり、液室６内の吐出エネルギー作用部（発熱体部）へのインクの流れ方向とノズル５の開口中心軸とを直角となしたサイドシュータ方式の構成のものである。
【００２３】
なお、記録ヘッドとしては、圧電素子を用いて振動板を変形させ、また、静電力で振動板を変形させて吐出圧を得るものなど様々な方式があり、いずれの方式のものも本発明に係る画像形成装置に適用することができる。
【００２４】
一方、キャリッジ１２０の下方には、記録ヘッド１によって画像が形成される用紙８が主走査方向と垂直方向（副走査方向）に搬送される。図３に示すように、用紙８は、搬送ローラ１２５と押えコロ１２６で挟持されて、記録ヘッド１による画像形成領域（印字部）に搬送され、印写ガイド部材１２９上に送られ、排紙ローラ対１２７で排紙方向に送られる。
【００２５】
このとき、主走査方向へのキャリッジ１２０の走査と記録ヘッド１からのインク吐出を画像データに基づいて適切なタイミングで同調させ、用紙８に１バンド分の画像を形成する。１バンド分の画像形成が完了した後、副走査方向に用紙８を所定量送り、前述と同様の記録動作を行う。これらの動作を繰り返し行い、１ページ分の画像形成を行なう。
【００２６】
一方、記録ヘッド１の上部には吐出するインクを一時的に貯留するためのインク室が形成されたヘッドタンク（バッファタンク、サブタンク、流路形成部材）１０１が一体的に接続される。ここでいう「一体的」とは、記録ヘッド１とヘッドタンク１０１がチューブ、管等で接続されることも含んでおり、どちらも一緒にキャリッジ１２０に搭載されているという意味である。
【００２７】
このヘッドタンク１０１には、装置本体側の主走査方向の一端部側に設けられるカートリッジホルダなどに着脱自在に装着される各色のインクを収容した液体貯留容器としての液体タンクであるインクカートリッジ（メインタンク）７６から液体供給チューブであるインク供給チューブ１６を介して所要の色のインクが供給される。
【００２８】
また、装置本体の主走査方向の他端部側には記録ヘッド１の維持回復を行う維持回復機構３１が配置されている。この維持回復機構３１は、記録ヘッド１のノズル面をキャッピングするキャップ３２と、キャップ３２内を吸引する吸引ポンプ３４と、吸引ポンプ３４で吸引されたインクの廃液を排出する排出経路３３などを含み、排出経路３３から排出される廃液は本体フレーム３０側に配置された廃液タンク３８に排出される。
【００２９】
この維持回復機構３１にはキャップ３２を記録ヘッド１のノズル面に対して進退移動（この例では昇降）させる移動機構を備えている。また、維持回復機構３１には、図示しないが、記録ヘッド１のノズル面をワイピングするワイパ部材をワイピングユニットにて保持してノズル面に対して進退可能に配設している。
【００３０】
次に、本発明の第１実施形態について図５を参照して説明する。図５は同実施形態におけるインク供給システムの概略説明図である。
【００３１】
インクカートリッジ７６とヘッドタンク１０１との間には、送液手段としての加圧ポンプ２０１と、インクを一時的に貯留する貯留室であるバッファ室２０２とが設けられ、ヘッドタンク１０１内には開閉弁１１１が設けられている。
【００３２】
加圧ポンプ２０１は、例えばダイヤフラムポンプであり、ポンプ２１１の前後に逆止弁２１２ａ、２１２ｂが設けられている。この加圧ポンプ２０１による送液方向は、インクカートリッジ７６（液体タンク）からバッファ室２０２側、すなわち記録ヘッド１に向かう方向への一方向のみである。
【００３３】
バッファ室２０２は、一部の側壁面が一定の方向に伸縮可能な伸縮部材２２１で形成され、伸縮部材２２１で壁部２２２が支持されている。ここでは、伸縮部材２２１はベローズで形成している。
【００３４】
そして、バッファ室２０２の伸縮部材２２１の伸長を規制可能な規制手段としてのソレノイド２０３が配置されている。ソレノイド２０３のプランジャ２３１の先端部は、バッファ室２０２の壁部２２２に対向し、プランジャ２３１は伸縮部材２２１の伸縮方向と同じ方向に進退可能に設けられている。
【００３５】
このソレノイド２０３は、記録ヘッド１から液滴を吐出して印字を行うときには、伸縮部材２２１の伸張を一定量以下になるように規制し、記録ヘッド１による印字が停止したときには、伸縮部材２２１に対する規制を解除するように駆動される。
【００３６】
次に、ヘッドタンク１０１の開閉弁１１１について図６を参照して説明する。図６は同ヘッドタンクの開閉弁部分の模式的説明図である。
【００３７】
ヘッドタンク１０１は、タンクケース１０１ａの開口を撓むことが可能なフィルム１０２を密閉し、フィルム１０２はばね１０３で外方（内容積が拡大する方向）に押されている。
【００３８】
タンクケース１０１ａには上流室１０５とインク室１０４とを通じる通路１１２が設けられ、開閉弁１１１はこの通路１１２を開閉する。開閉弁１１１は、通路１１２を開閉する弁体１１１ａと、弁体１１１ａが通路１１２を閉じる方向に加圧するばね１１１ｂと、弁体１１１ａに設けたシール部材１１１ｃとを有している。
【００３９】
この開閉弁１１１は、通常は、図６（ａ）に示すように、開閉弁１１１の弁体１１１ａがフィルム１０２で押されていないので、弁体１１１ａで通路１１２を閉じている常閉弁である。
【００４０】
この状態からインク室１０４のインクが使用されて負圧が大きくなると、図６（ｂ）に示すように、大気圧によってフィルム１０２が内側に押され、開閉弁１１１の弁体１１１ａを押し込む。これにより、開閉弁１１１が開いて、通路１１２が開かれ、上流室１０５からインク室１０４にインクが供給される。そして、インク室１０４の負圧が低下する（圧力が高まる）と、フィルム１０２が外方に変位し、開閉弁１１１の弁体１１１ａがばね１１１ｂで押されて通路１１２を閉じる。
【００４１】
記録ヘッド１から液滴が吐出されている間、開閉弁１１１は開弁状態と閉弁状態とを繰り返す。このように、開閉弁１１１は、常閉の弁手段であって、記録ヘッド１が液滴を吐出したときにのみ開弁する。
【００４２】
なお、ここでは、開閉弁１１１がヘッドタンク１０１内にある例で説明しているが、開閉弁１１１の配置位置や構成が上記の例に限定されるものではない。例えば、バッファ室２０２とヘッドタンク１０１との間に開閉弁１１１を設け、ヘッドタンク１０１に圧力検知手段を設けて、検出されたヘッドタンク１０１内の負圧が所定値よりも低下したときに、開閉弁１１１が開弁する制御を行うようにすることもできる。
【００４３】
また、インクカートリッジ７６は、インク袋にインクを収容した密閉容器でも良いし、大気開放路を有し、内部を大気に開放している大気開放型の容器でも良い。また、図５に示す供給システムは、１色分のみ示しているが、各色のインクを使用する場合は、色ごとにインクカートリッジ７６、インク供給チューブ１６、ヘッドタンク１０１、バッファ室２０２を設ける。また、加圧ポンプ２０１も各色ごとに設けるが、加圧ポンプ２０１のアクチュエータは色毎に分かれていなくても良い。
【００４４】
次に、装置停止時における加圧ポンプによって加圧されたインクの圧力を解除する方法について図７及び図８を参照して説明する。
【００４５】
まず、図７は記録ヘッド１から液滴を吐出して印字を行っているときのバッファ室２０２の状態を示している。
【００４６】
このとき、バッファ室２０２に充填されて正圧になっているインクによって、伸縮部材２２１は基準面Ａよりも僅かに伸びることができるが、図７（ａ）に示すように、ソレノイド２０３のプランジャ２３１によって、伸縮部材２２１が基準面Ａよりも伸びないように、伸縮部材２２１の伸長を規制している。
【００４７】
また、伸縮部材２２１は、基準面Ａに対して、矢印α方向には収縮可能である。そのため、バッファ室２０２がバッファとして機能するとき、即ち、記録ヘッド１の吐出量に対して、一時的に加圧ポンプ２０１による供給が間に合わないとき、バッファ室２０２内のインクが記録ヘッド１に供給される。バッファ室２０２内のインクが記録ヘッド１に供給されると、図７（ｂ）に示すように、伸縮部材２２１が収縮する。
【００４８】
図８は印字を行っていないときや装置が停止しているとき（装置を使用していないとき）のバッファ室２０２の状態を示している。
【００４９】
装置を使用しないときには、図８（ａ）に示すように、ソレノイド２０３のプランジャ２３１が基準面Ａに対して矢印β方向に移動（後退）し、伸縮部材２２１の規制を解除する。
【００５０】
これにより、プランジャ２３１が移動すると、図８（ｂ）に示すように、バッファ室２０２内の加圧されていたインクによって、伸縮部材２２１が僅かに伸びる。
【００５１】
ここで、インクは液体であるため、圧縮率が非常に小さい。そのため、加圧ポンプ２０１によって圧縮されていたインクは、プランジャ２３１が移動したことで、僅かに膨らみ加圧ポンプ２０１から開閉弁１１１までの加圧インクの圧力が減圧される。
【００５２】
その結果、装置を使用していないときに、記録ヘッド１の液滴吐出面１ａや供給チューブ１６とヘッドタンク１０１を接続しているジョイント、バッファ室２０２、加圧ポンプ２０１と供給チューブ１６を接続するジョイント部からインクがリークすることが防止される。
【００５３】
また、加圧インクの減圧は、ソレノイド２０３のプランジャ２３１の移動のみで行うことができ、複雑な部品を必要としないため、低コストで実現でき、減圧装置自体も小型である。
【００５４】
なお、この状態から、再度、装置を使用して印字する場合には、図８（ｂ）に示すプランジャ２３１が伸縮部材２２１から後退している状態から、矢印γ方向に移動（進出）する。そして、図７（ａ）に示すように、プランジャ２３１が基準面Ａに移動して、伸縮部材２２１の伸びを規制する位置になる。
【００５５】
本実施形態において使用している規制手段としてのソレノイド２０３は、装置を使用しているときのみ、プランジャ２３１が押し出され、装置を使用していないときには、プランジャ２３１が引き込まれる動作をする。したがって、装置を使用していないときに電力を消費しないようにするためには、プッシュ型ソレノイドを使用することが好ましい。プッシュ型ソレノイドは、プランジャ２３１が伸縮部材２２１から退避できるように、引き込み用ばねを備えたものである。
【００５６】
また、伸縮部材２２１で支持している壁部２２２の直径が大きいほど、ソレノイド２０３のプランジャ２３１が伸縮部材２２１に与える力が大きくなる。したがって、ソレノイド２０３の駆動力に応じて壁部２２２の大きさを設定する。また、伸縮部材２２１の伸長距離は僅かであるため、大きなストロークを有するソレノイドを用いる必要はない。
【００５７】
次に、本発明の第２実施形態について図９を参照して説明する。図９は同実施形態におけるインク供給システムの説明図である。
【００５８】
本実施形態では、バッファ室２０２の壁部２２２に対向して、伸縮部材２２１の伸長を規制する規制手段として、空気圧ベローズ２０４を備えている。
【００５９】
この空気圧ベローズ２０４は、空気供給チューブ２０５を介して切替弁２０６と接続されている。切替弁２０６は、吸引ポンプ３４がキャップ３２と通じる状態と、空気供給チューブ２０５と通じる状態とを切り替えることができる。また、切替弁２０６は一方が通じているときは、他方が閉じられる弁である。
【００６０】
このように構成したので、装置を使用する前においては、空気供給チューブ２０５と吸引ポンプ３４を通じさせる。そして、吸引ポンプ３４を吸引方向と逆方向に回転させ、加圧空気を空気圧ベローズ２０４に送り、空気圧ベローズ２０４を伸長させる。この空気圧ベローズ２０４の伸長に伴って、バッファ室２０２の伸縮部材２２１は壁部２２２を介して収縮する方向に力を受け、前述した基準面まで収縮する。
【００６１】
このとき、切替弁２０６をキャップ３２と通じる側に切り替えることで、空気圧ベローズ２０４と空気供給チューブ２０５の加圧状態が保持される。
【００６２】
これにより、印字中には常に加圧空気が充填された空気圧ベローズ２０４によってバッファ室２０２の伸縮部材２２１の伸びが規制される。
【００６３】
そして、印字終了後は、切替弁２０６を吸気供給チューブ２０５側に切り替えて、吸引ポンプ３４を正転駆動して吸引することにより、空気圧ベローズ２０４内を減圧させる。この減圧により、空気圧ベローズ２０４は収縮し、バッファ室２０２の伸縮部材２２１が僅かに膨らむ。
【００６４】
その結果、加圧ポンプ２０１からヘッドタンク１０１の開閉弁１１１までの加圧インクの圧力が減圧される。これにより、装置を使用していないときに記録ヘッド１の液滴吐出面１ａや各流路を接続しているジョイント部からインクがリークすることを確実に防止できる。
【００６５】
また、切替弁２０６を追加するだけであるので、コストを抑え、かつ複雑な構成を要せず大きなスペースを必要としない。
【００６６】
なお、本実施形態では切替弁２０６によって加圧空気を密閉していたが、空気供給チューブ２０５に開閉弁を設けて、その開閉弁によって、空気圧ベローズ２０４を密閉させる構成とすることもできる。
【００６７】
また、圧力を解除するとき、吸引ポンプ３４を駆動させて、空気圧ベローズ２０４を吸引しているが、空気供給チューブ２０５に大気開放弁を設け、印字を停止したときには、大気開放弁を開弁させ、加圧空気を大気圧まで減圧させる方法とすることもできる。
【００６８】
次に、本発明の第３実施形態について図１０及び図１１を参照して説明する。図１０は同実施形態におけるインク供給システムの説明図、図１１は同システムの廃液タンク部分の説明に供する説明図である。
【００６９】
本実施形態では、前記第２実施形態における空気供給チューブ２０５は廃液タンク３８に接続されている。また、空気供給チューブ２０５には、空気圧ベローズ２０４側に空気供給チューブ２０５を開閉する開閉弁２０７が、廃液タンク３８側に空気供給チューブ２０５内を大気開放する大気開放弁２０８が設けられている。
【００７０】
また、廃液タンク３８の底面にはインクを吸収する吸収体３９が配置され、吸引された廃液は吸収体３９に吸収される。
【００７１】
このように構成したので、装置を使用する前においてはキャップ３２を液滴吐出面１ａから離間させた状態で、吸引ポンプ３４を正転駆動して吸引を行う。これにより、廃液タンク３８を通じて空気供給チューブ２０５内から加圧空気が空気圧ベローズ２０４に送られ、空気圧ベローズ２０４が伸長する。この空気圧ベローズ２０４の伸長に伴って、バッファ室２０２の伸縮部材２２１は壁部２２２を介して収縮する方向に力を受け、前述した基準面まで収縮する。
【００７２】
そこで、開閉弁２０７を閉弁することで、空気圧ベローズ２０４内部の加圧状態が保持される。この動作により、伸縮部材２２１が基準面よりも伸びることはない。
【００７３】
また、印字動作中にメンテナンスシーケンスが入り、キャップ３２を記録ヘッド１の液滴吐出面１ａに密着させて、吸引ポンプ３４を駆動させる必要がある場合は、大気開放弁２０８を開弁した後、吸引動作を行う。大気開放弁２０８が開弁しても、開閉弁２０７が空気圧ベローズ２０４の流路を閉塞しているため、空気圧ベローズ２０４内部の圧力には影響がない。
【００７４】
そして、装置を停止するときは、開閉弁２０７を開弁し、次に大気開放弁２０８を開弁することで、空気圧ベローズ２０４内の圧力を大気圧近傍まで減圧することができる。これにより、装置を使用していないときに記録ヘッド１の液滴吐出面１ａや各流路を接続しているジョイント部からインクがリークすることを確実に防止できる。
【００７５】
次に、本発明の第４実施形態について図１２を参照して説明する。図１２は同実施形態におけるバッファ室周りの説明図である。
【００７６】
前述した各実施形態では、規制手段で伸縮部材２２１を押す方向は重力方向上側から下下向きであったが、この場合、初期充填時にバッファ室２０２内にある空気が抜けにくくなる。また、インク供給チューブ１６内に混入した気泡がバッファ室２０２の伸縮部材２２１内に達すると、伸縮部材２２１内に溜りやすく、かつ、気泡を抜くことが困難になる。
【００７７】
そこで、本実施形態では、伸縮部材２２１の変形に関して、重力方向下向きから上向きに変形するようにしている。
【００７８】
このように構成することで、初期充填時に空気を伸縮部材２２１内に残すことなく、伸縮部材２２１内に液体を充填することができる。また、気泡が混入した場合も、浮力によって気泡が上昇するため、伸縮部材２２１内に空気が滞留することを防ぐことができる。
【００７９】
次に、上記実施形態におけるバッファ室に対する規制手段の制御の一例について図１３のフロー図を参照して説明する。
【００８０】
まず、装置を起動させて印字開始動作に入ると、規制手段を駆動して、伸縮部材２２１を基準面まで押し下げる。伸縮部材２２１を押し下げることで、加圧ポンプ２０１から開閉弁１１１までが加圧される。
【００８１】
その後、印字動作が開始された後、加圧ポンプ２０１を駆動して、インクを記録ヘッド１に送液する。
【００８２】
印字ジョブが終了した後、キャリッジ１２０を維持回復機構３１が備わっているホームポジションに移動する。その後、規制手段を基準面から離間するように移動させる。このとき、伸縮部材２２１が僅かに膨らみ、加圧ポンプ２０１から開閉弁１１１までの正圧部分が減圧される。
【００８３】
なお、本願において、「用紙」とは材質を紙に限定するものではなく、ＯＨＰ、布、ガラス、基板などを含み、インク滴、その他の液体などが付着可能なものの意味である。被記録媒体、記録媒体、記録紙、記録用紙などと称されるものを含む。また、画像形成、記録、印字、印写、印刷はいずれも同義語とする。
【００８４】
また、「画像形成装置」は、紙、糸、繊維、布帛、皮革、金属、プラスチック、ガラス、木材、セラミックス等の媒体に液体を吐出して画像形成を行う装置を意味する。また、「画像形成」とは、文字や図形等の意味を持つ画像を媒体に対して付与することだけでなく、パターン等の意味を持たない画像を媒体に付与すること（単に液滴を媒体に着弾させること）をも意味する。
【００８５】
また、「インク」とは、特に限定しない限り、インクと称されるものに限らず、記録液、定着処理液、液体などと称されるものなど、画像形成を行うことができるすべての液体の総称として用いる。例えば、ＤＮＡ試料、レジスト、パターン材料、樹脂なども含まれる。
【００８６】
また、「画像」とは平面的なものに限らず、立体的に形成されたものに付与された画像、また立体自体を三次元的に造形して形成された像も含まれる。
【００８７】
また、画像形成装置には、特に限定しない限り、シリアル型画像形成装置及びライン型画像形成装置のいずれも含まれる。
【符号の説明】
【００８８】
１  記録ヘッド（液体吐出ヘッド）
１６  インク供給チューブ
７６  インクカートリッジ
１０１  ヘッドタンク
１０６  インク室
１１１  開閉弁
２０１  加圧ポンプ
２０２  バッファ室（貯留室）
２０３  ソレノイド（規制手段）
２０４  空気圧ベローズ（規制手段）
【図１】
2014156035.tif 000003
【図２】
2014156035.tif 000004
【図３】
2014156035.tif 000005
【図４】
2014156035.tif 000006
【図５】
2014156035.tif 000007
【図６】
2014156035.tif 000008
【図７】
2014156035.tif 000009
【図８】
2014156035.tif 000010
【図９】
2014156035.tif 000011
【図１０】
2014156035.tif 000012
【図１１】
2014156035.tif 000013
【図１２】
2014156035.tif 000014
【図１３】
2014156035.tif 000015